(57)【特許請求の範囲】
【請求項１】
カードの表面および裏面に各々個人の表面情報および裏面情報を印字するカードの印字システムにおいて、
各個人のＩＤ情報が入力されるＩＤ情報入力部と、
複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、
複数のカードを収納するカードホッパと、カードに対して表面情報を印字する表面用プリンタとを有する表面印字ユニットと、
複数のカードを収納するカードホッパと、カードに対して表面情報を印字する表面用プリンタと、カードに対して裏面情報を印字する裏面用プリンタとを有する表裏面印字ユニットと、
表面印字ユニットと表裏面印字ユニットに、各々表面印字ユニット排出ラインと表裏面印字ユニット排出ラインを介して接続されたスタッカと、
データベースからの情報に基づいて表面印字ユニット、表裏面印字ユニット、表面印字ユニット排出ラインおよび表裏面印字ユニット排出ラインを制御する制御部とを備え、
制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積することを特徴とするカードの印字システム。
【請求項２】
表面印字ユニット排出ラインは表面印字ユニット排出路と、印刷済カードを待機させる待機部を含むことを特徴とする請求項１記載のカードの印字システム。
【請求項３】
表裏面印字ユニットの表面用プリンタはカード搬送方向上流側に位置するとともに裏面用プリンタは下流側に位置し、表裏面印字ユニットの表面用プリンタと裏面用プリンタとの間にカードに対してオーバーコートを施すオーバーコート部が設けられていることを特徴とする請求項１記載のカードの印字システム。
【請求項４】
カードの表面および裏面に各々個人の表面情報および裏面情報を印字するカードの印字システムにおいて、
各個人のＩＤ情報が入力されるＩＤ情報入力部と、
複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、
複数のカードを収納するカードホッパと、カードに対して表面情報を印字する表面用プリンタとを有する表面印字ユニットと、
複数のカードを収納するカードホッパと、カードに対して表面情報を印字する表面用プリンタ機能と、カードに対して裏面情報を印字する裏面用プリンタ機能をもつ表裏面用プリンタとを有する表裏面印字ユニットと、
表面印字ユニットと表裏面印字ユニットに、各々表面印字ユニット排出ラインと表裏面印字ユニット排出ラインを介して接続されたスタッカと、
データベースからの情報に基づいて表面印字ユニット、表裏面印字ユニット、表面印字ユニット排出ラインおよび表裏面印字ユニット排出ラインを制御する制御部とを備え、
制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積し、
表裏面印字ユニットの表裏面用プリンタのカード搬送方向下流側に、カードを反転させて表裏面用プリンタ側へ戻すカード反転部が設けられ、カード反転部の下流側にカードに対してオーバーコートを施すオーバーコート部が設けられていることを特徴とするカードの印字システム。
【請求項５】
カードの表面および裏面に各々個人の表面情報および裏面情報を印字するカードの印字システムにおいて、
各個人のＩＤ情報が入力されるＩＤ情報入力部と、
複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、
複数のカードを収納するカードホッパと、カードに対して表面情報を印字する表面用プリンタとを有する表面印字ユニットと、
複数のカードを収納するカードホッパと、カードに対して表面情報を印字する表面用プリンタ機能と、カードに対して裏面情報を印字する裏面用プリンタ機能をもつ表裏面用プリンタとを有する表裏面印字ユニットと、
表面印字ユニットと表裏面印字ユニットに、各々表面印字ユニット排出ラインと表裏面印字ユニット排出ラインを介して接続されたスタッカと、
データベースからの情報に基づいて表面印字ユニット、表裏面印字ユニット、表面印字ユニット排出ラインおよび表裏面印字ユニット排出ラインを制御する制御部とを備え、
制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積し、
表裏面印字ユニットの表裏面用プリンタのカード搬送方向下流側に、カードに対してオーバーコートを施すオーバーコート部と、カードを反転させて表裏面用プリンタ側へ戻すカード反転部が順次設けられていることを特徴とするカードの印字システム。
【発明の詳細な説明】
【技術分野】
【０００１】
本発明は社員カード、銀行カード、運転免許証等のカードを作製するため、カードに対して必要な文字および顔画像を印字するカードの印字システムに関する。
【背景技術】
【０００２】
従来より上述したカードを作製する場合、まずカードの表面に表面情報を印字し、更に必要に応じてカードの裏面に裏面情報を印字している。
【０００３】
ところで、カードに対して表面情報および裏面情報を印字する場合、表面用プリンタと裏面用プリンタを内蔵した複数の表裏面印字ユニットが用いられている。しかしながら各表裏面印字ユニット毎に表面用プリンタと裏面用プリンタを内蔵することはコスト増加につながっている。
【０００４】
すなわち、表面情報のみをカードに印字する場合、表面用プリンタのみが使用され、裏面用プリンタは使用されないからである。
【先行技術文献】
【特許文献】
【０００５】
【特許文献１】特開平７−１７１０３号
【特許文献２】特開平９−３５０１０号
【特許文献３】特開平９−１７９９４６号
【発明の概要】
【発明が解決しようとする課題】
【０００６】
本発明はこのような点を考慮してなされたものであり、表面情報および裏面情報をカードに印字する場合と、表面情報のみをカードに印字する場合の各々に対応して使用すべき印字ユニットを適宜選択し、かつ印字されたカードを印字順位に基づいて確実に集積することができるカードの印字システムを提供することを目的とする。
【課題を解決するための手段】
【０００７】
本発明は、カードの表面および裏面に各々個人の表面情報および裏面情報を印字するカードの印字システムにおいて、各個人のＩＤ情報が入力されるＩＤ情報入力部と、複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、複数のカードを収納するカードホッパと、カードに対して表面情報を印字する表面用プリンタとを有する表面印字ユニットと、複数のカードを収納するカードホッパと、カードに対して表面情報を印字する表面用プリンタと、カードに対して裏面情報を印字する裏面用プリンタとを有する表裏面印字ユニットと、表面印字ユニットと表裏面印字ユニットに、各々表面印字ユニット排出ラインと表裏面印字ユニット排出ラインを介して接続されたスタッカと、データベースからの情報に基づいて表面印字ユニット、表裏面印字ユニット、表面印字ユニット排出ラインおよび表裏面印字ユニット排出ラインを制御する制御部とを備え、制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積することを特徴とするカードの印字システムである。
【０００８】
本発明は、表面印字ユニット排出ラインは表面印字ユニット排出路と、印刷済カードを待機させる待機部を含むことを特徴とするカードの印字システムである。
【０００９】
本発明は、表裏面印字ユニットの表面用プリンタはカード搬送方向上流側に位置するとともに裏面用プリンタは下流側に位置し、表裏面印字ユニットの表面用プリンタと裏面用プリンタとの間にカードに対してオーバーコートを施すオーバーコート部が設けられていることを特徴とするカードの印字システムである。
【００１０】
本発明は、カードの表面および裏面に各々個人の表面情報および裏面情報を印字するカードの印字システムにおいて、各個人のＩＤ情報が入力されるＩＤ情報入力部と、複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、複数のカードを収納するカードホッパと、カードに対して表面情報を印字する表面用プリンタとを有する表面印字ユニットと、複数のカードを収納するカードホッパと、カードに対して表面情報を印字する表面用プリンタ機能と、カードに対して裏面情報を印字する裏面用プリンタ機能をもつ表裏面用プリンタとを有する表裏面印字ユニットと、表面印字ユニットと表裏面印字ユニットに、各々表面印字ユニット排出ラインと表裏面印字ユニット排出ラインを介して接続されたスタッカと、データベースからの情報に基づいて表面印字ユニット、表裏面印字ユニット、表面印字ユニット排出ラインおよび表裏面印字ユニット排出ラインを制御する制御部とを備え、制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積し、表裏面印字ユニットの表裏面用プリンタのカード搬送方向下流側に、カードを反転させて表裏面用プリンタ側へ戻すカード反転部が設けられ、カード反転部の下流側にカードに対してオーバーコートを施すオーバーコート部が設けられていることを特徴とするカードの印字システムである。
【００１１】
本発明は、カードの表面および裏面に各々個人の表面情報および裏面情報を印字するカードの印字システムにおいて、各個人のＩＤ情報が入力されるＩＤ情報入力部と、複数の個人の表面情報と必要に応じて存在する裏面情報がＩＤ情報とともに蓄えられ、ＩＤ情報入力部からのＩＤ情報に基づいて、当該ＩＤ情報と、このＩＤ情報に対応する表面情報および裏面情報を出力するデータベースと、複数のカードを収納するカードホッパと、カードに対して表面情報を印字する表面用プリンタとを有する表面印字ユニットと、複数のカードを収納するカードホッパと、カードに対して表面情報を印字する表面用プリンタ機能と、カードに対して裏面情報を印字する裏面用プリンタ機能をもつ表裏面用プリンタとを有する表裏面印字ユニットと、表面印字ユニットと表裏面印字ユニットに、各々表面印字ユニット排出ラインと表裏面印字ユニット排出ラインを介して接続されたスタッカと、データベースからの情報に基づいて表面印字ユニット、表裏面印字ユニット、表面印字ユニット排出ラインおよび表裏面印字ユニット排出ラインを制御する制御部とを備え、制御部はデータベースからのＩＤ情報に基づいて、データベースからの入力順に印字すべきカードの印字順位を決定し、カードに表面情報のみを印字する場合は表面印字ユニットを作動させてカードに表面情報を印字し、カードに表面情報と裏面情報を印字する場合は裏面印字ユニットを作動させてカードに表面情報および裏面情報を印字し、かつ表面印字ユニット排出ラインおよび表裏面印字ユニット排出ラインを制御して印字済カードを印字順位に基づいてスタッカに集積し、表裏面印字ユニットの表裏面用プリンタのカード搬送方向下流側に、カードに対してオーバーコートを施すオーバーコート部と、カードを反転させて表裏面用プリンタ側へ戻すカード反転部が順次設けられていることを特徴とするカードの印字システムである。
【発明の効果】
【００１２】
以上説明したように本発明によれば、カードを作製するにあたって、表面情報および裏面情報をカードに印字する場合と、表面情報のみをカードに印字する場合の各々に対応して使用すべき印字ユニットを分けることができる。
【００１３】
このためすべての印字ユニットが表面用プリンタと裏面用プリンタを内蔵する必要はなく、設置コスト低減を図ることができる。また印字されたカードを印字順次に基づいて確実にスタッカに集積させることができる。
【図面の簡単な説明】
【００１４】
【図１】図１は本発明によるカードの印字システムの第１の実施の形態を示すブロック図。
【図２】図２は本発明によるカードの印字システムに組込まれた表面用プリンタを示す図。
【図３】図３（ａ）はＩＣカードの表面を示す図、図３（ｂ）はＩＣカードの裏面を示す図、図３（ｃ）は追記情報ラベルを示す図。
【図４】図４は本発明によるカードの印字システムの第２の実施の形態を示すブロック図。
【図５】図５は本発明によるカードの印字システムの第３の実施の形態を示すブロック図。
【発明を実施するための形態】
【００１５】
第１の実施の形態
以下、図面を参照して本発明の第１の実施の形態について説明する。
【００１６】
図１乃至図３は本発明によるカードの印字システムの一実施の形態を示す図である。
【００１７】
本発明によるカードの印字システムは、図３（ａ）（ｂ）（ｃ）に示すようなＩＣチップ１ａを含むＩＣカード１の表面２に対して各個人の必要な表面文字情報２ａおよび顔画像情報２ｂを印字するとともに、ＩＣカードの裏面３に対して裏面情報３ａを印字し、例えば社員カード、銀行カード、運転免許証等のＩＣカードを作製するものである。この場合、裏面情報のうちＩＣカード裏面に印字できない追記情報５ａは、追記情報ラベル５に印字される。このうち、表面文字情報２ａおよび顔画像情報２ｂにより表面情報２Ａが構成される。
【００１８】
なおＩＣカード１の代わりにＩＣチップ１ａを含まないカードを用い、このカードに印字してもよい。
【００１９】
ここで必要な表面文字情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字されている。
【００２０】
カードの印字システム１０は図１に示すように、ＩＣカードの印字を行なう必要がある個人のＩＤ情報２ｃが入力されるＩＤ情報入力部５と、多数の個人の表面情報２Ａおよび裏面情報３ａがＩＤ情報２ｃとともに蓄えられ、ＩＤ情報入力部５からのＩＤ情報２ｃに基づいて、当該ＩＤ情報に対応する個人のＩＤ情報２ｃ、表面情報２Ａ、および裏面情報３ａを出力するデータベース６と、第１の表面印字ユニット１１と、第２の表面印字ユニット２１と、表裏面印字ユニット３１とを備えている。
【００２１】
このうち、第１の表面印字ユニット１１は図１に示すように、多数のＩＣカード１を収納するカードホッパ１２と、ＩＣカード１の表面に表面情報２Ａを印字する表面用プリンタ１３と、ＩＣカード１の表面にオーバーコートを施すオーバーコート部１４とを有している。
【００２２】
また第２の表面印字ユニット２１は、多数のＩＣカード１を収納するカードホッパ２２と、ＩＣカード１の表面に表面情報２Ａを印字する表面用プリンタ２３と、ＩＣカード１の表面にオーバーコートを施すオーバーコート部２４とを有している。
【００２３】
さらに表裏面印字ユニット３１は、多数のＩＣカード１を収納するカードホッパ３２と、ＩＣカード１の表面に表面情報２Ａを印字する表面用プリンタ３３と、ＩＣカード１の表面にオーバーコートを施すオーバーコート部３４と、ＩＣカード１の裏面に裏面情報３ａを印字する裏面用プリンタ３５とを有している。
【００２４】
また第１の表面印字ユニット１１には、印字済のＩＣカード１を待機させる待機部１５と、表面印字ユニット排出路１６を介して、ＩＣカード１を集積するスタッカ１９が接続されている。
【００２５】
さらに第２の表面印字ユニット２１は、印字済のＩＣカード１を待機させる待機部２５と、表面印字ユニット排出路２６とを介してスタッカ１９に接続されている。
【００２６】
また表裏面印字ユニット３２は、表裏面印字ユニット排出路３６を介してスタッカ１９に接続されている。
【００２７】
なお、第１の表面印字ユニット１１に接続された待機部１５と表面印字ユニット排出路１６とによって表面印字ユニット排出ライン１５Ａが構成され、第２の表面印字ユニット２１に接続された待機部２５と表面印字ユニット排出路２６とによって表面印字ユニット排出ライン２５Ａが構成されている。また表裏面印字ユニット３１に接続された表裏面印字ユニット排出路３６によって、表裏面印字ユニット排出ライン３６が構成されている。
【００２８】
さらにまたデータベース６には、データベース６からのＩＤ情報２ｃ、表面情報２Ａおよび裏面情報３ｃに基づいて、第１の表面印字ユニット１１、第２の表面印字ユニット２１、表裏面印字ユニット３１、表面印字ユニット排出ライン１５Ａ，２５Ａ、および表裏面印字ユニット排出ライン３６を制御する制御部７が接続されている。
【００２９】
制御部７はデータベース６からのＩＤ情報２ｃに基づいて、データベース６からの入力順に印字すべきＩＣカード１の印字順位を決定する。そして制御部７はＩＤ情報２ｃに基づいて、ＩＣカード１に表面情報２Ａのみを印字する場合は第１表面印字ユニット１１または第２表面印字ユニット２１を作動させて、ＩＣカード１の表面に表面情報２Ａを印字する。また制御部７はＩＤ情報２ｃに基づいて、ＩＣカード１に表面情報２Ａと裏面情報３ａを印字する場合は、表裏面印字ユニット３１を作動させて、ＩＣカード１の表面に表面情報２Ａを印字するとともに、ＩＣカード１の裏面に裏面情報３ａを印字する。
【００３０】
さらに制御部７は予め決定されたＩＣカード１の印字順位に基づいて、第１表面印字ユニット排出ライン１５Ａ、第２表面印字ユニット排出ライン２５Ａおよび表裏面印字ユニット排出ライン３６を制御して、印字済カードを印字順位に基づいてスタッカ１９内に集積するようになっている。
【００３１】
次に第１の表面印字ユニット１１、第２の表面印字ユニット２１および表裏面印字ユニット３１に組込まれた表面用プリンタ１３，２３，３３について説明する。図２に示すように、これら表面用プリンタ１３，２３，３３は、略同一の構造を有している。すなわち表面用プリンタ１３，２３，３３はサーマルリボン４３を供給するリボン供給部４１と、サーマルリボン４３を巻取るリボン巻取部４２と、リボン供給部４１から供給されるサーマルリボン４３をＩＣカード１に対して加熱押圧するサーマルヘッド４０とを有している。
【００３２】
そしてサーマルヘッド４０によりサーマルリボン４３をＩＣカード１に対して加熱押圧することにより、ＩＣカード１の表面にＹＭＣの昇華カラー画像情報（顔画像情報）２ｂと、Ｋの溶融黒画像情報（表面文字情報）２ａを印字することができる。
【００３３】
また、第１表面印字ユニット１１、第２表面印字ユニット２１および表裏面印字ユニット３１のオーバーコート部１４，２４，３４も各々略同一の構造を有しており、印字済のＩＣカード１の表面にオーバーコートを転写（箔転写）してＩＣカード１の表面を保護するようになっている。
【００３４】
さらに表裏面印字ユニット３１の裏面用プリンタ３５は、図２に示す表面用プリンタ１３，２３，３３を反転させた構造を有する。すなわち裏面用プリンタ３５はＩＣカード１の裏面に対してＫの溶融黒画像からなる裏面情報３ａを印字するものであり、サーマルリボン４３およびサーマルヘッド４０はＩＣカード１の下方に位置し、オーバーコート部３４から排出されたＩＣカード１に対して反転させることなくＩＣカード１の下方を向く裏面に対して裏面情報３ａを印字するようになっている。
【００３５】
このように裏面用プリンタ３５において、ＩＣカード１を反転させる必要がないので、裏面用プリンタ３５により裏面情報３ａが印字されたＩＣカード１をそのままの姿勢で表裏面印字ユニット排出ライン３６を介してスタッカ１９へ排出することができる。
【００３６】
次にこのような構成からなる本実施の形態の作用について、図１乃至図３を用いて説明する。
【００３７】
まずＩＣカード１に対して印字する必要のある個人のＩＤ情報２ｃがＩＤ情報入力部５から入力され、ＩＤ情報入力部５から入力されたＩＤ情報２ｃはデータベース６へ送られる。
【００３８】
ここでＩＤ情報入力部５としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部５により用紙に記入されたＩＤ番号、氏名、生年月日、住所等のＩＤ情報を読取るようになっている。
【００３９】
ＩＤ情報２ｃがデータベース６へ送られると、データベース６内でＩＤ情報２ｃに対応する表面情報２Ａおよび裏面情報３ａが集められ、これら表面情報２Ａおよび裏面情報３ａがＩＤ情報２ｃとともに制御部７へ送られる。ここで表面情報２Ａは個人の氏名、住所等の情報を含み、裏面情報３ａは詳細な住所情報を含む。
【００４０】
制御部７はデータベース６からのＩＤ情報２ｃに基づいて、データベース６からの入力順に印字すべきＩＣカード１の印字順位を決定する。そして制御部７はＩＤ情報２ｃに基づいて、ＩＣカード１に表面情報２Ａのみを印字する場合は第１表面印字ユニット１１または第２表面印字ユニット２１を作動させて、ＩＣカード１の表面に表面情報２Ａを印字する。また制御部７はＩＤ情報２ｃに基づいて、ＩＣカード１に表面情報２Ａと裏面情報３ａを印字する場合は、表裏面印字ユニット３１を作動させて、ＩＣカード１の表面に表面情報２Ａを印字するとともに、ＩＣカード１の裏面に裏面情報３ａを印字する。
【００４１】
さらに制御部７は予め決定されたＩＣカード１の印字順位に基づいて、第１表面印字ユニット排出ライン１５Ａ、第２表面印字ユニット排出ライン２５Ａおよび表裏面印字ユニット排出ライン３６を制御して、印字済カードを印字順位に基づいてスタッカ１９内に集積する。
【００４２】
例えばＩＣカード１の表面に表面情報２Ａのみを印字する場合、制御部７は第１表面印字ユニット１１または第２表面印字ユニット２１を作動させて表面用プリンタ１３または表面用プリンタ２３によりＩＣカード１の表面に表面情報２Ａを印字し、次にオーバーコート部１４またはオーバーコート部２４により印字済の表面情報２Ａ上に、オーバーコートを施す。
【００４３】
他方、ＩＣカード１に表面情報２Ａおよび裏面情報３ａを印字する場合は、表裏面印字ユニット３１を作動させて、表面用プリンタ３３によりＩＣカード１の表面に表面情報２Ａを印字し、次にオーバーコート部３４により印字済の表面情報２Ａ上にオーバーコートを施す。次にＩＣカード１の裏面に裏面用プリンタ３５により裏面情報３ａを印字する。
【００４４】
この場合、第１表面印字ユニット１１および第２表面印字ユニット２１は、裏面用プリンタ３５を含んでいないので、第２表面印字ユニット１１および第２表面印字ユニット２１の作動時間は、表裏面印字ユニット３１の作動時間に比較するとかなり短くなる。
【００４５】
そこで制御部７は、第１の表面印字ユニット１１または第２の表面印字ユニット２１を作動させる際、オーバーコート部１４，２４を経た印字済のＩＣカード１を待機部１５，２５において待機させておく。このようにして、制御部７はデータベース６からの入力順に印字すべきＩＣカード１の印字順位を決定した後、ＩＣカード１に表面情報２Ａのみを印字するため第１表面印字ユニット１１または第２表面印字ユニット２１を作動させる場合、あるいはＩＣカード１の表面情報２Ａおよび裏面情報３ａを印字させるため表裏面印字ユニット３１を作動させる場合のいずれの場合であっても、作動時間の相違を上記の待機部１５，２５において調整することができ、これにより印字済のＩＣカードを印字順位に基づいて、スタッカ１９内に順番に集積することができる。
【００４６】
以上のように本実施の形態によれば、ＩＣカード１に表面情報２Ａのみを印字する場合は第１の表面印字ユニット１１または第２の表面印字ユニット２１を用いることができ、ＩＣカード１に表面情報２Ａおよび裏面情報３ａを印字する場合は表裏面印字ユニット３１を用いることができるので、すべての印字ユニット１１，２１，３１が裏面用プリンタ３５を含む必要はなく、設置コスト低減を図ることができる。また第１の表面印字ユニット１１、第２の表面印字ユニット２１、あるいは表裏印字ユニット３１を経たＩＣカード１をその印字順位に基づいて、スタッカ１９へ順番に集積することができるので、スタッカ１９に集積されたＩＣカード１を再度印字順位に沿って再度並べ替える必要はない。
【００４７】
なお、上記実施の形態において、第１の表面印字ユニット１１および第２の表面印字ユニット２１の双方の印字ユニットを設けた例を示したが、第２の表面印字ユニット２１は必ずしも設ける必要はない。
【００４８】
また印字すべきＩＣカード１について、表面情報２Ａのみを印字するＩＣカード１の数が多くなった場合、表裏面印字ユニット３１を作動させ、裏面用プリンタ３５による裏面情報３ａの印字を省略して、ＩＣカード１に対して表面情報２Ａのみを印字してスタッカ１９に送ってもよい。
【００４９】
第２の実施の形態
次にカードの印字システム１０の第２の実施の形態について、図４により説明する。
【００５０】
カードの印字システム１０は図４に示すように、ＩＣカードの印字を行なう必要がある個人のＩＤ情報２ｃが入力されるＩＤ情報入力部５と、多数の個人の表面情報２Ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃ、表面情報２Ａ、および裏面情報３ａを出力するデータベース６と、第１の表面印字ユニット１１と、第２の表面印字ユニット２１と、表裏面印字ユニット３１とを備えている。
【００５１】
このうち、第１の表面印字ユニット１１は図４に示すように、多数のＩＣカード１を収納するカードホッパ１２と、ＩＣカード１の表面に表面情報２Ａを印字する表面用プリンタ１３と、ＩＣカード１の表面にオーバーコートを施すオーバーコート部１４とを有している。
【００５２】
また第２の表面印字ユニット２１は、多数のＩＣカード１を収納するカードホッパ２２と、ＩＣカード１の表面に表面情報２Ａを印字する表面用プリンタ２３と、ＩＣカード１の表面にオーバーコートを施すオーバーコート部２４とを有している。
【００５３】
さらに表裏面印字ユニット３１は、多数のＩＣカード１を収納するカードホッパ３２と、ＩＣカード１の表面に表面情報２Ａを印字する表面用プリンタ機能３３ａおよびＩＣカード１の裏面に裏面情報３ａを印字する裏面用プリンタ機能３５ａをもつ表裏面用プリンタ３３Ａと、ＩＣカード１にオーバーコートを施すオーバーコート部３４とを有している。
【００５４】
この場合、表裏面用プリンタ３３Ａは表面用プリンタ機能３３ａと裏面用プリンタ機能３５ａをもつ単一のプリンタからなる。
【００５５】
すなわち、表裏面用プリンタ３３Ａは単一のプリンタからなるが、後述するカード反転部３７と組合わせることにより、表面用プリンタ機能３３ａと裏面用プリンタ機能３５ａの双方の機能をもつことになる。
【００５６】
また、表裏面用プリンタ３３Ａと、オーバーコート部３４との間に、表裏面用プリンタ３３ＡからのＩＣカード１を反転させて、表裏面用プリンタ３３Ａ側へ戻すカード反転部３７が設けられている。
【００５７】
また第１の表面印字ユニット１１には、印字済のＩＣカード１を待機させる待機部１５と、表面印字ユニット排出路１６を介して、ＩＣカード１を集積するスタッカ１９が接続されている。
【００５８】
さらに第２の表面印字ユニット２１は、印字済のＩＣカード１を待機させる待機部２５と、表面印字ユニット排出路２６とを介してスタッカ１９に接続されている。
【００５９】
また表裏面印字ユニット３２は、表裏面印字ユニット排出路３６を介してスタッカ１９に接続されている。
【００６０】
なお、第１の表面印字ユニット１１に接続された待機部１５と表面印字ユニット排出路１６とによって表面印字ユニット排出ライン１５Ａが構成され、第２の表面印字ユニット２１に接続された待機部２５と表面印字ユニット排出路２６とによって表面印字ユニット排出ライン２５Ａが構成されている。また表裏面印字ユニット３１に接続された表裏面印字ユニット排出路３６によって、表裏面印字ユニット排出ライン３６が構成されている。
【００６１】
さらにまたデータベース６には、データベース６からのＩＤ情報２ｃ、表面情報２Ａおよび裏面情報３ｃに基づいて、第１の表面印字ユニット１１、第２の表面印字ユニット２１、表裏面印字ユニット３１、表面印字ユニット排出ライン１５Ａ，２５Ａ、および表裏面印字ユニット排出ライン３６を制御する制御部７が接続されている。
【００６２】
制御部７はデータベース６からのＩＤ情報２ｃに基づいて、データベース６からの入力順に印字すべきＩＣカード１の印字順位を決定する。そして制御部７はＩＤ情報２ｃに基づいて、ＩＣカード１に表面情報２Ａのみを印字する場合は第１表面印字ユニット１１または第２表面印字ユニット２１を作動させて、ＩＣカード１の表面に表面情報２Ａを印字する。また制御部７はＩＤ情報２ｃに基づいて、ＩＣカード１に表面情報２Ａと裏面情報３ａを印字する場合は、表裏面印字ユニット３１を作動させて、ＩＣカード１の表面に表面情報２Ａを印字するとともに、ＩＣカード１の裏面に裏面情報３ａを印字する。
【００６３】
さらに制御部７は予め決定されたＩＣカード１の印字順位に基づいて、第１表面印字ユニット排出ライン１５Ａ、第２表面印字ユニット排出ライン２５Ａおよび表裏面印字ユニット排出ライン３６を制御して、印字済カードを印字順位に基づいてスタッカ１９内に集積するようになっている。
【００６４】
次に第１の表面印字ユニット１１および第２の表面印字ユニット２１に組込まれた表面用プリンタ１３，２３について説明する。図２に示すように、これら表面用プリンタ１３，２３は、略同一の構造を有している。すなわち表面用プリンタ１３，２３はサーマルリボン４３を供給するリボン供給部４１と、サーマルリボン４３を巻取るリボン巻取部４２と、リボン供給部４１から供給されるサーマルリボン４３をＩＣカード１に対して加熱押圧するサーマルヘッド４０とを有している。
【００６５】
そしてサーマルヘッド４０によりサーマルリボン４３をＩＣカード１に対して加熱押圧することにより、ＩＣカード１の表面にＹＭＣの昇華カラー画像情報（顔画像情報）２ｂと、Ｋの溶融黒画像情報（表面文字情報）２ａを印字することができる。
【００６６】
また、第１表面印字ユニット１１、第２表面印字ユニット２１および表裏面印字ユニット３１のオーバーコート部１４，２４，３４も各々略同一の構造を有しており、印字済のＩＣカード１の表面にオーバーコートを転写（箔転写）してＩＣカード１の表面を保護するようになっている。
【００６７】
さらに表裏面印字ユニット３１の表裏面用プリンタ３３Ａは、ＩＣカード１の表面にＹＭＣの昇華カラー画像情報（顔画像情報）２ｂと、Ｋの溶融黒画像情報（表面文字情報）２ａを印字するとともに、ＩＣカード１の裏面に対してＫの溶融黒画像からなる裏面情報３ａを印字するものである。
【００６８】
表裏面用プリンタ３３Ａにおいて、ＩＣカード１の表面に表面情報２Ａが印字され、表面情報２Ａが印字されたＩＣカード１はカード反転部３７に送られ、このカード反転部３７において反転された後に表裏面用プリンタ３３Ａ側へ戻される。表裏面用プリンタ３３Ａ側へ戻されたＩＣカード１は、この表裏面用プリンタ３３Ａにおいてその裏面に裏面情報３ａが印字され、カード反転部３７により再度反転された後、オーバーコート部３４へ送られるようになっている。
【００６９】
表裏面用プリンタ３３Ａで用いられるサーマルリボンは、ＹＭＣの昇華カラー画像情報２ｂを印字することができる。またサーマルリボンはＫの溶融黒画像情報（表面文字情報）２ａを印字することができる。このためサーマルリボンはＹＭＣパネルと、文字情報を形成するＫの溶融インキパネルとからなり、Ｋの溶融インキパネルは表面文字と裏面文字を印字可能なように、２倍のパネルサイズのものが用いられる。
【００７０】
サーマルリボンのＹＭＣＫにより表面印字を行なった後、サーマルリボンは一旦停止し、反転後にＩＣカード１に対して表裏面用プリンタ３３ＡによってＫの残りのパネルで裏面印字が行なわれる。
【００７１】
次にこのような構成からなる本実施の形態の作用について、図４を用いて説明する。
【００７２】
まずＩＣカード１に対して印字する必要のある個人のＩＤ情報２ｃがＩＤ情報入力部５から入力され、ＩＤ情報入力部５から入力されたＩＤ情報２ｃはデータベース６へ送られる。
【００７３】
ここでＩＤ情報入力部５としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部５により用紙に記入されたＩＤ番号、氏名、生年月日、住所等のＩＤ情報を読取るようになっている。
【００７４】
ＩＤ情報２ｃがデータベース６へ送られると、データベース６内でＩＤ情報２ｃに対応する表面情報２Ａおよび裏面情報３ａが集められ、これら表面情報２Ａおよび裏面情報３ａがＩＤ情報２ｃとともに制御部７へ送られる。ここで表面情報２Ａは個人の氏名、住所等の情報を含み、裏面情報３ａは詳細な住所情報を含む。
【００７５】
例えばＩＣカード１の表面に表面情報２Ａのみを印字する場合、制御部７は第１表面印字ユニット１１または第２表面印字ユニット２１を作動させて表面用プリンタ１３または表面用プリンタ２３によりＩＣカード１の表面に表面情報２Ａを印字し、次にオーバーコート部１４またはオーバーコート部２４により印字済の表面情報２Ａ上に、オーバーコートを施す。
【００７６】
他方、ＩＣカード１に表面情報２Ａおよび裏面情報３ａを印字する場合は、表裏面印字ユニット３１を作動させて、表裏面用プリンタ３３ＡによりＩＣカード１の表面に表面情報２Ａを印字し、次にカード反転部３７においてＩＣカード１を反転させ、ＩＣカード１を表裏面用プリンタ３３Ａへ戻しＩＣカード１の裏面に裏面情報３ａを印字する。表裏面用プリンタ３３Ａにより裏面に裏面情報３ａが印字されたＩＣカード１は再度、カード反転部３７において反転される。次にオーバーコート部３４により印字済のＩＣカード１の表面情報２Ａ上にオーバーコートが施される。
【００７７】
この場合、第１表面印字ユニット１１および第２表面印字ユニット２１は、カード反転部３７を含んでいないので、第２表面印字ユニット１１および第２表面印字ユニット２１の作動時間は、表裏面印字ユニット３１の作動時間に比較するとかなり短くなる。
【００７８】
そこで制御部７は、第１の表面印字ユニット１１または第２の表面印字ユニット２１を作動させる際、オーバーコート部１４，２４を経た印字済のＩＣカード１を待機部１５，２５において待機させておく。このようにして、制御部７はデータベース６からの入力順に印字すべきＩＣカード１の印字順位を決定した後、ＩＣカード１に表面情報２Ａのみを印字するため第１表面印字ユニット１１または第２表面印字ユニット２１を作動させる場合、あるいはＩＣカード１の表面情報２Ａおよび裏面情報３ａを印字させるため表裏面印字ユニット３１を作動させる場合のいずれの場合であっても、作動時間の相違を上記の待機部１５，２５において調整することができ、これにより印字済のＩＣカードを印字順位に基づいて、スタッカ１９内に順番に集積することができる。
【００７９】
以上のように本実施の形態によれば、ＩＣカード１に表面情報２Ａのみを印字する場合は第１の表面印字ユニット１１または第２の表面印字ユニット２１を用いることができ、ＩＣカード１に表面情報２Ａおよび裏面情報３ａを印字する場合は表裏面印字ユニット３１を用いることができるので、すべての印字ユニット１１，２１，３１が表裏面用プリンタ３３Ａおよびカード反転部３７を含む必要はなく、設置コスト低減を図ることができる。また第１の表面印字ユニット１１、第２の表面印字ユニット２１、あるいは表裏印字ユニット３１を経たＩＣカード１をその印字順位に基づいて、スタッカ１９へ順番に集積することができるので、スタッカ１９に集積されたＩＣカード１を再度印字順位に沿って再度並べ替える必要はない。
【００８０】
なお、上記実施の形態において、第１の表面印字ユニット１１および第２の表面印字ユニット２１の双方の印字ユニットを設けた例を示したが、第２の表面印字ユニット２１は必ずしも設ける必要はない。
【００８１】
また印字すべきＩＣカード１について、表面情報２Ａのみを印字するＩＣカード１の数が多くなった場合、表裏面印字ユニット３１を作動させ、カード反転部３７におけるＩＣカード１の反転作業および表裏面用プリンタ３３Ａによる裏面情報３ａの印字を省略して、表裏面用プリンタ３３ＡによりＩＣカード１に対して表面情報２Ａのみを印字してスタッカ１９に送ってもよい。
【００８２】
第３の実施の形態
次にカードの印字システム１０の第３の実施の形態について、図５により説明する。
【００８３】
カードの印字システム１０は図５に示すように、ＩＣカードの印字を行なう必要がある個人のＩＤ情報２ｃが入力されるＩＤ情報入力部５と、多数の個人の表面情報２Ａおよび裏面情報３ａがＩＤ情報２ｃとともに蓄えられ、ＩＤ情報入力部１１からのＩＤ情報２ｃに基づいて、当該ＩＤ情報に対応する個人のＩＤ情報２ｃ、表面情報２Ａ、および裏面情報３ａを出力するデータベース６と、第１の表面印字ユニット１１と、第２の表面印字ユニット２１と、表裏面印字ユニット３１とを備えている。
【００８４】
このうち、第１の表面印字ユニット１１は図５に示すように、多数のＩＣカード１を収納するカードホッパ１２と、ＩＣカード１の表面に表面情報２Ａを印字する表面用プリンタ１３と、ＩＣカード１の表面にオーバーコートを施すオーバーコート部１４とを有している。
【００８５】
また第２の表面印字ユニット２１は、多数のＩＣカード１を収納するカードホッパ２２と、ＩＣカード１の表面に表面情報２Ａを印字する表面用プリンタ２３と、ＩＣカード１の表面にオーバーコートを施すオーバーコート部２４とを有している。
【００８６】
さらに表裏面印字ユニット３１は、多数のＩＣカード１を収納するカードホッパ３２と、ＩＣカード１の表面に表面情報２Ａを印字する表面用プリンタ機能３３ａおよびＩＣカード１の裏面に裏面情報３ａを印字する裏面用プリンタ機能３５ａをもつ表裏面用プリンタ３３Ａと、ＩＣカード１にオーバーコートを施すオーバーコート部３４とを有している。
【００８７】
この場合、表裏面用プリンタ３３Ａは表面用プリンタ機能３３ａと裏面用プリンタ機能３５ａをもつ単一のプリンタからなる。
【００８８】
すなわち、表裏面用プリンタ３３Ａは単一のプリンタからなるが、後述するカード反転部３７と組合わせることにより、表面用プリンタ機能３３ａと裏面用プリンタ機能３５ａの双方の機能をもつことになる。
【００８９】
またオーバーコート部３４の搬送方向下流側に、オーバーコート部３４からのＩＣカード１を反転させて表裏面用プリンタ３３Ａ側へ戻すカード反転部３７が設けられている。
【００９０】
また第１の表面印字ユニット１１には、印字済のＩＣカード１を待機させる待機部１５と、表面印字ユニット排出路１６を介して、ＩＣカード１を集積するスタッカ１９が接続されている。
【００９１】
さらに第２の表面印字ユニット２１は、印字済のＩＣカード１を待機させる待機部２５と、表面印字ユニット排出路２６とを介してスタッカ１９に接続されている。
【００９２】
また表裏面印字ユニット３２は、表裏面印字ユニット排出路３６を介してスタッカ１９に接続されている。
【００９３】
なお、第１の表面印字ユニット１１に接続された待機部１５と表面印字ユニット排出路１６とによって表面印字ユニット排出ライン１５Ａが構成され、第２の表面印字ユニット２１に接続された待機部２５と表面印字ユニット排出路２６とによって表面印字ユニット排出ライン２５Ａが構成されている。また表裏面印字ユニット３１に接続された表裏面印字ユニット排出路３６によって、表裏面印字ユニット排出ライン３６が構成されている。
【００９４】
さらにまたデータベース６には、データベース６からのＩＤ情報２ｃ、表面情報２Ａおよび裏面情報３ｃに基づいて、第１の表面印字ユニット１１、第２の表面印字ユニット２１、表裏面印字ユニット３１、表面印字ユニット排出ライン１５Ａ，２５Ａ、および表裏面印字ユニット排出ライン３６を制御する制御部７が接続されている。
【００９５】
制御部７はデータベース６からのＩＤ情報２ｃに基づいて、データベース６からの入力順に印字すべきＩＣカード１の印字順位を決定する。そして制御部７はＩＤ情報２ｃに基づいて、ＩＣカード１に表面情報２Ａのみを印字する場合は第１表面印字ユニット１１または第２表面印字ユニット２１を作動させて、ＩＣカード１の表面に表面情報２Ａを印字する。また制御部７はＩＤ情報２ｃに基づいて、ＩＣカード１に表面情報２Ａと裏面情報３ａを印字する場合は、表裏面印字ユニット３１を作動させて、ＩＣカード１の表面に表面情報２Ａを印字するとともに、ＩＣカード１の裏面に裏面情報３ａを印字する。
【００９６】
さらに制御部７は予め決定されたＩＣカード１の印字順位に基づいて、第１表面印字ユニット排出ライン１５Ａ、第２表面印字ユニット排出ライン２５Ａおよび表裏面印字ユニット排出ライン３６を制御して、印字済カードを印字順位に基づいてスタッカ１９内に集積するようになっている。
【００９７】
次に第１の表面印字ユニット１１および第２の表面印字ユニット２１に組込まれた表面用プリンタ１３，２３について説明する。図２に示すように、これら表面用プリンタ１３，２３は、略同一の構造を有している。すなわち表面用プリンタ１３，２３はサーマルリボン４３を供給するリボン供給部４１と、サーマルリボン４３を巻取るリボン巻取部４２と、リボン供給部４１から供給されるサーマルリボン４３をＩＣカード１に対して加熱押圧するサーマルヘッド４０とを有している。
【００９８】
そしてサーマルヘッド４０によりサーマルリボン４３をＩＣカード１に対して加熱押圧することにより、ＩＣカード１の表面にＹＭＣの昇華カラー画像情報（顔画像情報）２ｂと、Ｋの溶融黒画像情報（表面文字情報）２ａを印字することができる。
【００９９】
また、第１表面印字ユニット１１、第２表面印字ユニット２１および表裏面印字ユニット３１のオーバーコート部１４，２４，３４も各々略同一の構造を有しており、印字済のＩＣカード１の表面にオーバーコートを転写（箔転写）してＩＣカード１の表面を保護するようになっている。
【０１００】
さらに表裏面印字ユニット３１の表裏面用プリンタ３３Ａは、ＩＣカード１の表面にＹＭＣの昇華カラー画像情報（顔画像情報）２ｂと、Ｋの溶融黒画像情報（表面文字情報）２ａを印字するとともに、ＩＣカード１の裏面に対してＫの溶融黒画像からなる裏面情報３ａを印字するものである。
【０１０１】
表裏面用プリンタ３３Ａにおいて、ＩＣカード１の表面に表面情報２Ａが印字され、表面情報２Ａが印字されたＩＣカード１はオーバーコート部３４に送られて、ＩＣカード１の表面情報２Ａ上にオーバーコートが施されてＩＣカード１の表面が保護される。その後ＩＣカード１はオーバーコート部３４からカード反転部３７に送られて反転された後、表裏面用プリンタ３３Ａ側へ戻され、この表裏面用プリンタ３３Ａにおいてその裏面に裏面情報３ａが印字される。ＩＣカード１はその後オーバーコート部３４に送られて、ＩＣカード１の裏面情報３ａ上にオーバーコートが施されてＩＣカード１の裏面が保護される。
【０１０２】
表裏面用プリンタ３３Ａで用いられるサーマルリボンは、ＹＭＣの昇華カラー画像情報２ｂを印字することができる。またサーマルリボンはＫの溶融黒画像情報（表面文字情報）２ａを印字することができる。このためサーマルリボンはＹＭＣパネルと、文字情報を形成するＫの溶融インキパネルとからなり、Ｋの溶融インキパネルは表面文字と裏面文字を印字可能なように、２倍のパネルサイズのものが用いられる。
【０１０３】
サーマルリボンのＹＭＣＫにより表面印字を行なった後、サーマルリボンは一旦停止し、オーバーコートが施され、かつ反転されたＩＣカード１に対して、表裏面用プリンタ３３ＡによってＫの残りのパネルで裏面印字が行なわれる。
【０１０４】
次にこのような構成からなる本実施の形態の作用について、図５を用いて説明する。
【０１０５】
まずＩＣカード１に対して印字する必要のある個人のＩＤ情報２ｃがＩＤ情報入力部５から入力され、ＩＤ情報入力部５から入力されたＩＤ情報２ｃはデータベース６へ送られる。
【０１０６】
ここでＩＤ情報入力部５としては、個人のＩＤ情報２ｃが記載された用紙を読取るＯＣＲ等が考えられる。すなわち各個人は用紙にＩＤ情報２ｃ（ＩＤ番号、氏名、生年月日、住所等のＩＤ情報）を記入し、ＯＣＲからなるＩＤ情報入力部５により用紙に記入されたＩＤ番号、氏名、生年月日、住所等のＩＤ情報を読取るようになっている。
【０１０７】
ＩＤ情報２ｃがデータベース６へ送られると、データベース６内でＩＤ情報２ｃに対応する表面情報２Ａおよび裏面情報３ａが集められ、これら表面情報２Ａおよび裏面情報３ａがＩＤ情報２ｃとともに制御部７へ送られる。ここで表面情報２Ａは個人の氏名、住所等の情報を含み、裏面情報３ａは詳細な住所情報を含む。
【０１０８】
例えばＩＣカード１の表面に表面情報２Ａのみを印字する場合、制御部７は第１表面印字ユニット１１または第２表面印字ユニット２１を作動させて表面用プリンタ１３または表面用プリンタ２３によりＩＣカード１の表面に表面情報２Ａを印字し、次にオーバーコート部１４またはオーバーコート部２４により印字済の表面情報２Ａ上に、オーバーコートを施す。
【０１０９】
他方、ＩＣカード１に表面情報２Ａおよび裏面情報３ａを印字する場合は、表裏面印字ユニット３１を作動させて、表裏面用プリンタ３３ＡによりＩＣカード１の表面に表面情報２Ａを印字し、次にオーバーコート部３４により印字済の表面情報２Ａ上にオーバーコートを施す。次にカード反転部３７によりＩＣカード１を反転させた後、ＩＣカード１を表裏面用プリンタ３３Ａへ戻し、ＩＣカード１の裏面に表裏面用プリンタ３３Ａにより裏面情報３ａを印字する。次にＩＣカード１は、オーバーコート部３４へ送られて、印字済の表面情報３ａ上にオーバーコートが施される。
【０１１０】
この場合、第１表面印字ユニット１１および第２表面印字ユニット２１は、カード反転部３７を含んでいないので、第２表面印字ユニット１１および第２表面印字ユニット２１の作動時間は、表裏面印字ユニット３１の作動時間に比較するとかなり短くなる。
【０１１１】
そこで制御部７は、第１の表面印字ユニット１１または第２の表面印字ユニット２１を作動させる際、オーバーコート部１４，２４を経た印字済のＩＣカード１を待機部１５，２５において待機させておく。このようにして、制御部７はデータベース６からの入力順に印字すべきＩＣカード１の印字順位を決定した後、ＩＣカード１に表面情報２Ａのみを印字するため第１表面印字ユニット１１または第２表面印字ユニット２１を作動させる場合、あるいはＩＣカード１の表面情報２Ａおよび裏面情報３ａを印字させるため表裏面印字ユニット３１を作動させる場合のいずれの場合であっても、作動時間の相違を上記の待機部１５，２５において調整することができ、これにより印字済のＩＣカードを印字順位に基づいて、スタッカ１９内に順番に集積することができる。
【０１１２】
以上のように本実施の形態によれば、ＩＣカード１に表面情報２Ａのみを印字する場合は第１の表面印字ユニット１１または第２の表面印字ユニット２１を用いることができ、ＩＣカード１に表面情報２Ａおよび裏面情報３ａを印字する場合は表裏面印字ユニット３１を用いることができるので、すべての印字ユニット１１，２１，３１が表裏面用プリンタ３３Ａおよびカード反転部３７を含む必要はなく、設置コスト低減を図ることができる。また第１の表面印字ユニット１１、第２の表面印字ユニット２１、あるいは表裏印字ユニット３１を経たＩＣカード１をその印字順位に基づいて、スタッカ１９へ順番に集積することができるので、スタッカ１９に集積されたＩＣカード１を再度印字順位に沿って再度並べ替える必要はない。
【０１１３】
なお、上記実施の形態において、第１の表面印字ユニット１１および第２の表面印字ユニット２１の双方の印字ユニットを設けた例を示したが、第２の表面印字ユニット２１は必ずしも設ける必要はない。
【０１１４】
また印字すべきＩＣカード１について、表面情報２Ａのみを印字するＩＣカード１の数が多くなった場合、表裏面印字ユニット３１を作動させ、カード反転部３７におけるＩＣカード１の反転作業および表裏面用プリンタ３３Ａによる裏面情報３ａの印字を省略して、ＩＣカード１に対して表面情報２Ａのみを印字してスタッカ１９に送ってもよい。
【０１１５】
さらに第１の表面印字ユニット１１または第２の表面印字ユニット２１を経て表面情報２Ａが印字されてスタッカ１９に集積されたＩＣカード１を、表裏面印字ユニット３１に送り、この表裏面印字ユニット３１においてＩＣカード１の裏面に裏面情報３ｃを印字してもよい。
【符号の説明】
【０１１６】
５      ＩＤ情報入力部
６      データベース
７      制御部
１０    カードの印字システム
１１    第１の表面印字ユニット
１２    カードホッパ
１３    表面用プリンタ
１４    オーバーコート部
１５Ａ  表面印字ユニット排出ライン
１５    待機部
１６    表面印字ユニット排出路
１９    スタッカ
２１    第２の表面印字ユニット
２２    カードホッパ
２３    表面用プリンタ
２４    オーバーコート部
２５Ａ  表面印字ユニット排出ライン
２６    表面印字ユニット排出路
３１    表面印字ユニット
３２    カードホッパ
３３    表面用プリンタ
３４    オーバーコート部
３５    裏面用プリンタ
３６    表裏面印字ユニット排出ライン
【図１】
0005435353.tif 000002
【図２】
0005435353.tif 000003
【図３】
0005435353.tif 000004
【図４】
0005435353.tif 000005
【図５】
0005435353.tif 000006